(57)【要約】【課題】衣服を汚す恐れが少なく、ティアップ時にゴルフボールの高さの調整が容易であり、携帯に便利なゴルフティ携帯具を提供する。【解決手段】ティ１の下端２１を圧入し貫通させる円筒状の本体５の内側が伸縮素材７で構成され、外側が面ファスナーとして機能する雄面９または雌面で構成される。そして、ティを携帯させる箇所１１、例えば、身体、衣服、持ち物、または装身具に、前記雄面９または雌面と接合して面ファスナーの機能を果たす雄面または雌面１３を設ける。伸縮素材７は、前記圧入が人手によって容易に行なえ、また、この圧入された上記ティ１が人手によって上記本体５から容易に抜いて外すことができる伸縮力を有する。【選択図】図１
2011229701.tif 000002
【特許請求の範囲】
【請求項１】
ゴルフのティアップ時に用いるティの携帯具であって、ティの下端を圧入し貫通させる円筒状の本体と、この本体の内側を構成する伸縮素材と、前記本体の外側を構成し面ファスナーとして機能する雄面または雌面と、前記ティを携帯させる箇所に設け前記雄面または雌面と接合して面ファスナーの機能を果たす雄面または雌面と、を有してなるゴルフティ携帯具。
【請求項２】
前記伸縮素材は、前記圧入が人手によって容易に行なえ、また、この圧入された上記ティが人手によって上記本体から容易に抜いて外すことができる伸縮力を有することを特徴とする請求項１に記載のゴルフティ携帯具。
【請求項３】
ゴルフのティアップ時に用いるティの携帯具であって、ティの下端を圧入し貫通させる円筒状の本体と、この本体の内側を構成する樹脂成型物と、前記本体の外側を構成し面ファスナーとして機能する雄面または雌面と、前記ティを携帯させる箇所に設け前記雄面または雌面と接合して面ファスナーの機能を果たす雄面または雌面と、を有してなるゴルフティ携帯具。
【請求項４】
前記ティを携帯させる箇所は、身体、衣服、持ち物、または装身具であることを特徴とする請求項１、２、または３に記載のゴルフティ携帯具。
【発明の詳細な説明】
【技術分野】
【０００１】
この発明は、ゴルフのティアップ時に用いるティの携帯具に関する。
【背景技術】
【０００２】
ゴルフのティアップ時に用いるティは、下端を地面に刺し、上端の皿状の支持部でゴルフボールを支持する。このティは、無くしたり壊れたりするものであり、ゴルファーは複数本を常に携帯するのが普通である。
この携帯を行なうために、下記特許文献１は、コイルリング状の携帯具を提案し、このコイルリング状のものにティの下端を圧入して保持する。このコイルリング状のものは複数が金具に取付けられ複数のティを携帯できる。
また、ティアップの高さ、すなわちゴルフボールの高さは、ティを地面に刺す深さにより調整される。この調整を容易にするために、下記特許文献２では、ティに円筒状の部材を取り付け、刺し込まれる露出した下端の長さにより、上記調整を行なう。
【先行技術文献】
【特許文献】
【０００３】
【特許文献１】米国公開特許和文抄録２００３／２２２１８９
【特許文献２】実開平０８−０００９９３
【発明の概要】
【発明が解決しようとする課題】
【０００４】
しかしながら、上記の特許文献１では、ティを携帯具ごとポケットの中に収納しなければならず、ティに付着した泥などの汚れは、コイルスプリング状のもののコイルの間から漏れ、衣服を汚す恐れがある。
また、上記の特許文献２では、ゴルフボールの高さの調整は容易になるものの、携帯するために、例えば上記特許文献１のコイルリング状の携帯具に圧入しようとすると、円筒状の部材が邪魔になって圧入できない。よって、携帯具が使えないので、上記の特許文献２のティは、衣服のポケット等に収納するしか無く、衣服を汚す恐れがある。もちろん、携帯は不便である。
【０００５】
この発明は、以上の問題点を解決するために、衣服を汚す恐れが少なく、ティアップ時にゴルフボールの高さの調整が容易であり、携帯に便利なゴルフティ携帯具を提供することを目的とする。
【課題を解決するための手段】
【０００６】
以上の課題を解決するために、第一発明は、ゴルフのティアップ時に用いるティの携帯具であって、ティの下端を圧入し貫通させる円筒状の本体と、この本体の内側を構成する伸縮素材と、前記本体の外側を構成し面ファスナーとして機能する雄面または雌面と、前記ティを携帯させる箇所に設け前記雄面または雌面と接合して面ファスナーの機能を果たす雄面または雌面と、を有してなるゴルフティ携帯具である。
【０００７】
第二発明は、更に、前記伸縮素材は、前記圧入が人手によって容易に行なえ、また、この圧入された上記ティが人手によって上記本体から容易に抜いて外すことができる伸縮力を有することを特徴とするゴルフティ携帯具である。
第三発明は、ゴルフのティアップ時に用いるティの携帯具であって、ティの下端を圧入し貫通させる円筒状の本体と、この本体の内側を構成する樹脂成型物と、前記本体の外側を構成し面ファスナーとして機能する雄面または雌面と、前記ティを携帯させる箇所に設け前記雄面または雌面と接合して面ファスナーの機能を果たす雄面または雌面と、を有してなるゴルフティ携帯具である。
【０００８】
第四発明は、更に、前記ティを携帯させる箇所は、身体、衣服、持ち物、または装身具であることを特徴とするゴルフティ携帯具である。
【発明の効果】
【０００９】
第一、第二、第三、または第四発明によれば、ティの下端を円筒状の本体に圧入し貫通させることで、特許文献２と同様に、貫通し露出したティの下端の長さにより、ゴルフボールの高さの調整は容易になる。
また、ティが圧入される本体の外側を構成し面ファスナーとして機能する雄面または雌面と、ティを携帯させる箇所に設けた雄面または雌面と、を接合すれば、ティを容易に携帯できる。そして、このティを携帯させる箇所は任意に選べるので、ポケットの中に収納する場合に比べ、衣服を汚す恐れが少ない。また、ティを携帯させる箇所に設けた雄面または雌面の面積は任意に大きくできるので、任意の数のティを同時に携帯でき、携帯が便利である。
【００１０】
第二、または第四発明によれば、更に、ティの本体への圧入が人手によって容易に行なえ、また、この圧入された上記ティが人手によって本体から容易に抜いて外すことができるので、本体の再利用が可能になる。
第四発明によれば、更に、ティを携帯させる箇所は、身体、衣服、持ち物、または装身具とすることで、ティを携帯させる箇所を設けるために、特別に持ち運ぶ物品を用意する必要が無く、より携帯が便利である。
【図面の簡単な説明】
【００１１】
【図１】（Ａ）はこの発明の一実施形態を示すゴルフティ携帯具の正面図、（Ｂ）は（Ａ）のゴルフティ携帯具を設けるゴルフバッグの斜視図、（Ｃ）は（Ａ）のゴルフティ携帯具を設けるゴルフカバーの斜視図である。
【図２】図１のゴルフティ携帯具を構成する筒状本体の作用を示すもので、（Ａ）は筒状本体の長さを長く使用する状態、（Ｂ）は筒状本体の長さを短くする状態、（Ｃ）は（Ａ）（Ｂ）の作用を示す図である。
【図３】この発明の一実施形態を示すもので、（Ａ）はゴルフティ携帯具を設ける帽子の斜視図、（Ｂ）（Ｃ）はゴルフティ携帯具を設けるベルトの斜視図、（Ｄ）はゴルフティ携帯具を設ける身体の図である。
【発明を実施するための形態】
【００１２】
この発明の実施形態を図１及び図２に示す。
図１（Ａ）に示すように、ゴルフのティアップ時に用いるティ１を複数本携帯するための携帯具３である。図２に示すように、筒状の本体５は、ティ１の下端を圧入し貫通させる。この本体５の内側を、伸縮素材７が構成する。伸縮素材７は、塩化ビニール類もしくはゴム、スポンジなどである。本体５の外側を面ファスナーとして機能する例えば雄面９が構成する。そして、ティを携帯させる箇所１１に、前記雄面９と接合して面ファスナーの機能を果たす雌面１３を設ける。
【００１３】
この面ファスナーは一般的なものである。例えば、ループあるいはアーチ形等の雌形素子を織物等の片面に形成した雌面１３と、雌形素子と係合する鈎形あるいはきのこ状等の立毛状雄形素子を織物等の片面に形成した雄面９とを、有する。雄面９と雌面１３とを押圧することで、互いに接合する。
【００１４】
伸縮素材７は、ティ１の圧入が人手によって容易に行なえ、また、この圧入されたティ１が人手によって本体５から容易に抜いて外すことができる伸縮力を有する。
ティを携帯させる箇所１１は、ゴルファーの持ち物として代表的であるゴルフバッグ１５（図１（Ｂ））と、ゴルフクラブ１７のヘッドに被されたゴルフカバー１９（図１（Ｃ））である。
図２に示すように、筒状の本体５は、任意の長さで使用する。図１に示すように、既存のティ１の下端２１を、筒状の本体５へ圧入し貫通させる。そして、筒状の本体５をティ１の端棒状部分２３に位置させる。この際に、筒状の本体５が再使用可能なように、接着剤等を用いない。
【００１５】
「実施形態の効果」
ティ１の下端２１を円筒状の本体５に圧入し貫通させることで、特許文献２と同様に、貫通し露出したティ１の下端２１の長さにより、ゴルフボールの高さは調整される。すなわち、円筒状の本体５を長く使用して（図２（Ａ））、貫通し露出したティ１の下端２１の長さを短くすれば、地面２に刺し込む深さは浅くなり、ゴルフボールの高さは高くできる（図２（Ｃ）左側）。逆に、円筒状の本体５を鋏などで切断して短くし（図２（Ｂ））、貫通し露出したティ１の下端２１の長さを長くすれば、ゴルフボールの高さは低くできる（図２（Ｃ）右側）。
【００１６】
また、ティ１が圧入される本体５の外側を構成し面ファスナーとして機能する雄面９と、ティを携帯させる箇所１１、すなわち、持ち物であるゴルフバッグ１５（図１（Ｂ））やゴルフクラブ１７のヘッドに被されたゴルフカバー１９（図１（Ｃ））の表面に設けた雌面１３と、を接合する。これにより、ティ１を、ゴルフバッグ１５やゴルフカバー１９の表面に接合した状態で、容易に携帯できる。
【００１７】
更に、ティを携帯させる箇所１１を、ゴルフバッグ１５やゴルフカバー１９とすることで、ティを携帯させる箇所１１を設けるために、特別に持ち運ぶ物品を用意する必要が無く、より携帯が便利である。
そして、このティを携帯させる箇所１１は、ゴルフバッグ１５やゴルフカバー１９の表面で任意に選べるので、ポケットの中に収納する場合に比べ、衣服を汚す恐れが少ない。
【００１８】
また、ティを携帯させる箇所１１に設けた雌面１３の面積は、任意に大きくできるので、任意の数、すなわち図１（Ａ）では３本のティ１を同時に携帯でき、携帯が便利である。
更に、円筒状の本体５には接着剤を用いないので、ティ１の本体５への圧入が人手によって容易に行なえ、また、この圧入された上記ティ１が人手によって本体５から容易に抜いて外すことができるので、本体５の他のティ１への再利用が可能になる。
【００１９】
「他の実施形態」
以上の実施形態では、円筒状の本体５に、面ファスナーとして機能する雄面９を設け、ティを携帯させる箇所１１に、面ファスナーとして機能する雌面１３を設けたが、この関係は逆でも良い。すなわち、円筒状の本体５に、雌面１３を設け、ティを携帯させる箇所１１に、雄面９を設けても良い。
【００２０】
また、以上の実施形態では、ティを携帯させる箇所１１は、ゴルフバッグ１５やゴルフカバー１９であったが、他の持ち物でも良い。また、図３（Ａ）に示す帽子２５、あるいは図３（Ｂ）（Ｃ）に示すベルト２７等のように、衣服や装身具でも良い。また、図３（Ｄ）に示すように、腕２９などの身体の一部でも良い。
【００２１】
また、以上の実施形態では、ティを携帯させる箇所１１に、面ファスナーとして機能する雌面１３や雄面を直接に設けたが、他の実施形態では、図３（Ｂ）に示すように、まず、雌面１３や雄面をクリップ３１に設け、このクリップ３１をティを携帯させる箇所１１、例えばベルト２７に挟んでも良い。更には、図３（Ｃ）に示すように、まず、雌面１３や雄面を鎖３３などでクリップ３５に吊下げて設け、このクリップ３５をティを携帯させる箇所１１、例えばベルト２７に挟んでも良い。
また、図３（Ｄ）に示すように、まず、雌面１３や雄面を輪にして腕輪３７状とし、この腕輪３７を、ティを携帯させる箇所１１である身体の腕２９に通しても良い。
【００２２】
また、以上の実施形態では、円筒状の本体５は伸縮素材７としたが、他の実施形態では、樹脂成型物とすることもできる。すなわち、樹脂成型物であっても、ティ１の圧入が人手によって容易に行なえ、また、圧入により適度な保持が行なわれ、この圧入されたティ１が人手によって本体５から容易に抜いて外すことができるものを、選択できる。
また、以上の実施形態では、携帯具３はティ１を複数本携帯するものであったが、他の実施形態では、図３（Ａ）（Ｂ）に示すように１本携帯するものでも、もちろん構わない。
【符号の説明】
【００２３】
１…ティ、３…携帯具、５…本体、７…伸縮素材、９…雄面、１１…ティを携帯させる箇所、１３…雌面、１５…ゴルフバッグ、１７…ゴルフクラブ、１９…ゴルフカバー、２１…下端、２３…端棒状部分。
【図１】
2011229701.tif 000003
【図２】
2011229701.tif 000004
【図３】
2011229701.tif 000005